(57)【要約】      （修正有）【課題】１枚の名刺を名刺束から取り出しやくするだけでなく、名刺束をセットしやすい名刺ケースを提供する。【解決手段】名刺ケース１０は、複数の名刺Ｃ０を纏めた名刺束Ｃが収納されるケース本体２０と、ケース本体を覆う蓋部３０とを備えている。ケース本体２０は、名刺束Ｃの厚み方向に対して傾斜した底板部２１と、底板部から名刺の取り出し方向Ｆ２に延びる背板部２２と、背板部の側部に立設された対向する側板部２３とを備えている。そして、蓋部３０は、側板部２３の間で背板部２２に対向して配置され、底板部２１側の基端部３０ａがケース本体に回転自在に取り付けられている。名刺束Ｃを名刺ケースに入れるときには、蓋部を開け、背板部２２に名刺束の下端面Ｃ１を突き当て、背板部に沿って底板部２１の方向へ摺動させながら入れることができる。【選択図】図５
0003204440.tif 000002
【実用新案登録請求の範囲】
【請求項１】
複数の名刺を纏めた名刺束が収納されるケース本体と、前記ケース本体を覆う蓋部とを備え、
前記ケース本体は、前記名刺束の厚み方向に対して傾斜した底板部と、前記底板部から前記名刺の取り出し方向に延びる背板部と、前記背板部の側部に立設された対向する側板部とを備え、
前記蓋部は、前記側板部の間で前記背板部に対向して配置され、前記底板部側の基端部が前記ケース本体に回転自在に取り付けられた名刺ケース。
【請求項２】
前記底板部に、前記ケース本体の幅方向に沿った仕切り板が少なくとも１枚立設されている請求項１記載の名刺ケース。
【請求項３】
前記仕切り板の上端部は、傾斜面を有している請求項２記載の名刺ケース。
【請求項４】
前記ケース本体の幅方向に沿った下端部が底板部に接続されていると共に、幅方向の両端部が側板部に接続された蓋支持部を備え、
前記蓋部は、前記蓋支持部に回転自在に接続されている請求項１から３のいずれかの項に記載の名刺ケース。
【請求項５】
前記蓋部は、名刺束の出入方向において、名刺束の高さ位置がずれた上部を露出させる長さを有している請求項１から４のいずれかの項に記載の名刺ケース。
【請求項６】
前記蓋部は、前記側板部に係止する爪部を有する請求項１から５のいずれかの項に記載の名刺ケース。
【請求項７】
前記蓋部の上部には、取手が取り付けられている請求項１から６のいずれかの項に記載の名刺ケース。
【請求項８】
前記取手が取り付けられた前記蓋部の一部は、前記蓋部から着脱自在である請求項７記載の名刺ケース。
【請求項９】
前記蓋部は、その上端に、前記背板部の上端に向って突出する庇部を有している請求項１から４のいずれかの項に記載の名刺ケース。
【考案の詳細な説明】
【技術分野】
【０００１】
本考案は、複数の名刺を名刺束にして収納することができる名刺ケースに関するものである。
【背景技術】
【０００２】
初めて会う相手とは、名刺交換をする。名刺交換の際には、名刺ケースから名刺を１枚引き抜き相手へ差し出す。このとき、誤って２枚、３枚の名刺を一緒に取り出してしまうことがある。
このような誤操作を抑止する従来の名刺ケースが特許文献１に記載の名刺取り出し用ケースとして知られている。
【０００３】
この特許文献１に記載の名刺取り出し用ケースは、ケース本体と、ケース本体の収容部の奥部に配する段差構成体とからなり、ケース本体は、上面板と、下面板と、これらの基端縁に折目線を介して連設される奥片とを備え、名刺の収容・取出し方向に対して適宜角度で傾斜する傾斜係止部は、複数の名刺の基端縁部分が当接したときに、名刺の先端縁部分に所定間隔宛の段差が生じるような略階段状に、或いは、傾斜面に沿って多数の滑り止め小突起を突設した状態に形成し、複数の名刺の基端縁部分を、傾斜係止部に係止して段差状態に保持できるように構成されたものである。
【０００４】
従来の名刺ケースによれば、傾斜係止部によって名刺が、段差状態に保持できるようになったため、名刺が重なり合った名刺束から容易に一枚だけを取り出すことができる。
【先行技術文献】
【特許文献】
【０００５】
【特許文献１】特開２００９−２２７２８４号公報
【考案の概要】
【考案が解決しようとする課題】
【０００６】
この特許文献１に記載の名刺取り出し用ケースは、上面板と下面板との間の左右の開口が側片により閉鎖されているため、名刺の幅方向の長さは、対向する一対の側片によって決定される。また、上面板と下面板との間隔は、一対の側片によって変わらないため、開口は、先端側にしかない。従って、名刺束を入れるときには、先端側の開口から真っ直ぐ傾斜係止部に向かって挿入することになる。
【０００７】
先端側の開口から厚みがある名刺束を入れようとするときには、予め、テーブルなどの平坦面を使って、名刺束の下方側の端面を揃え、かつ名刺束の側面側も揃えて、それぞれの名刺がぴったり重なり合った状態にして、狭い先端側の開口から挿入しなければ、厚みのある名刺束を従来の名刺ケースに入れることが難しい。
【０００８】
そこで本考案は、１枚の名刺を名刺束から取り出しやくするだけでなく、名刺束をセットしやすい名刺ケースを提供することを目的とする。
【課題を解決するための手段】
【０００９】
本考案の名刺ケースは、複数の名刺を纏めた名刺束が収納されるケース本体と、前記ケース本体を覆う蓋部とを備え、前記ケース本体は、前記名刺束の厚み方向に対して傾斜した底板部と、前記底板部から前記名刺の取り出し方向に延びる背板部と、前記背板部の側部に立設された対向する側板部と、を備え、前記蓋部は、前記側板部の間で前記背板部に対向して配置され、前記底板部側の基端部が前記ケース本体に回転自在に取り付けられたことを特徴とする。
【００１０】
本考案の名刺ケースによれば、名刺束の厚み方向に対して傾斜した底板部によって名刺束を厚み方向に沿ってずらすことができるため、名刺束の上端の高さ位置をずらすことができる。また、蓋部を開けることにより露出した背板部に名刺束の下端を突き当て、名刺束を背板部に沿って底板部へ向って挿入することができるため、名刺束を安定した状態で容易に挿入することができる。
【００１１】
前記底板部に、前記ケース本体の幅方向に沿った仕切り板が少なくとも１枚立設されていると、名刺束を入れたときに、名刺束を仕切り板を挟んで、その前後に振り分けることができる。
【００１２】
また、前記仕切り板の上端部が、傾斜面を有していると、仕切り板の上端部にて名刺を滑らせるようにして振り分けることができるため、名刺が上端部で留まってしまうことを防止することができる。
【００１３】
前記ケース本体の幅方向に沿った下端面が底板部に接続されていると共に、幅方向の両端面が側板部に接続された蓋支持部を備え、前記蓋部は、前記蓋支持部に回転自在に接続されていることができる。蓋部をケース本体から開いた状態で、名刺束を背板部に沿って底板部へ向って挿入しても、底板部と蓋支持部とによって名刺束を突き当て、厚み方向に沿って各名刺をずれた状態とすることができる。
【００１４】
前記蓋部は、名刺束の出入方向において、名刺束の高さ位置がずれた上部を露出させる長さを有することが望ましい。名刺束の上部は、厚み方向に沿って段々に上端の位置が高くなっており、蓋部が名刺束の高さ位置がずれた上部を露出させているため、容易に一枚を掴むことができる。
【００１５】
前記蓋部は、前記側板部に係止する爪部を有することが望ましい。蓋部の爪部が、側板部に係止することにより、蓋部がしっかりとケース本体に保持される。
【００１６】
前記蓋部の上部には、取手が取り付けられていることが望ましい。蓋部に取手が取り付けられていることで、蓋部の開閉を容易に行うことができる。
【００１７】
前記取手が取り付けられた前記蓋部の一部が、前記蓋部から着脱自在とすることができる。取手が取り付けられた蓋部の一部が、蓋部から着脱自在とすることで、本考案の名刺ケースを名刺入れに収納した状態で、名刺束を名刺ケースに入れて使用する場合でも、名刺入れの蓋を開け、蓋部から取手が取り付けらた蓋部の一部を外せば、取手が取れるため、蓋が広く開いて、名刺束を、蓋部が閉じた状態のケース本体へ入れやすくなる。
【００１８】
前記蓋部は、その上端に、前記背板部の上端に向って突出する庇部を有することが望ましい。そうすることで、名刺束は、底板部、背板部および側板部と、蓋部と蓋部の庇部によって囲うことができるため、使用者は、名刺入れに入れなくても名刺ケースだけで使用することができる。
【考案の効果】
【００１９】
本考案の名刺ケースは、名刺束を安定した状態で容易に挿入することができるため、１枚の名刺を名刺束から取り出しやくするだけでなく、名刺束をセットしやすい。
【図面の簡単な説明】
【００２０】
【図１】本考案の実施の形態１に係る名刺ケースを示す図であり、蓋部が閉じた状態の斜視図である。
【図２】図１に示す名刺ケースで、蓋部が開いた状態の斜視図である。
【図３】図１に示す名刺ケースのケース本体の図であり、（Ａ）は正面図、（Ｂ）は平面図、（Ｃ）は右側面図である。
【図４】図１に示す名刺ケースの蓋部の図であり、（Ａ）は正面図、（Ｂ）は平面図、（Ｃ）は右側面図である。
【図５】図２に示す名刺ケースに名刺束を挿入する状態を説明するための斜視図である。
【図６】図１に示す名刺ケースに名刺束が収納された状態で、名刺入れに挿入する状態を説明するための図である。
【図７】本考案の実施の形態２に係る名刺ケースを示す図であり、名刺ケースのケース本体の右側面図である。
【考案を実施するための形態】
【００２１】
（実施の形態１）
本考案の実施の形態１に係る名刺ケースを図面に基づいて説明する。なお、本明細書においては、名刺ケースの取り出し側を上、名刺ケースの底側を下として説明する。
図１および図２に示す本実施の形態１に係る名刺ケース１０は、プラスチックなどの樹脂板により形成されている。名刺ケース１０は、例えば、透明ケースとすることができる。
名刺ケース１０は、複数の名刺を纏めた名刺束Ｃ（図５参照）が収納部２０ａに収納されるケース本体２０と、ケース本体２０を覆う蓋部３０とを備えている。
【００２２】
図３（Ａ）から同図（Ｃ）に示すように、ケース本体２０は、名刺束Ｃの厚み方向Ｆ１に対して傾斜した底板部２１と、底板部２１から名刺の取り出し方向Ｆ２に延びる背板部２２と、背板部２２の側部２２ａに立設された対向する側板部２３とを備えている。また、ケース本体２０には、蓋支持部２４が形成されている。
【００２３】
底板部２１は、矩形状に形成されている。底板部２１は、名刺束Ｃの下端面が接触する面が粗面に形成されている。
背板部２２は、名刺の幅方向Ｆ３における幅が、名刺とほぼ同じ長さに形成され、名刺の出入方向Ｆ４における長さが、名刺より長く形成されている。
側板部２３は、下端部２３ｂが底板部２１の傾斜に合わせて尖鋭に形成された台形状に形成されている。側板部２３の上部２３ｕには、蓋部３０を閉じたときに蓋部３０の後述する爪部を係止させるための凹部２３ａが形成されている。側板部２３は、名刺の出入方向Ｆ３の長さにおいて、名刺の長さより短く形成されている。
【００２４】
蓋支持部２４は、ケース本体２０の幅方向Ｆ３に沿った下端部２４ｂが底板部２１に連続的に接続されていると共に、幅方向Ｆ３の両端部２４ｓが側板部２３に連続的に接続されている。
蓋支持部２４の中央部には、ケース本体２０の先端部２０ｂの方向に向かって矩形状に開口した切り欠き部２４ａを有している。この切り欠き部２４ａは、幅方向Ｆ３の両側に位置する対向する面には、蓋部３０の回転軸が挿入されることで、蓋部３０が回転自在に接続される凹部２４ｃが形成されている。
【００２５】
図１および図２に示すように、蓋部３０は、閉じた状態では、側板部２３の間で、背板部２２に対向して配置され、底板部２１側の基端部３０ａがケース本体２０に回転自在に取り付けられている。蓋部３０は、名刺束Ｃの出入方向Ｆ４において、名刺束Ｃの高さ位置がずれた上部を露出させる長さを有している（図６参照）。
【００２６】
図４（Ａ）から同図（Ｃ）に示すように、蓋部３０は、蓋支持部２４によって隠れる背板部２２の残余部分を覆う矩形状の蓋本体３１と、蓋支持部２４の切り欠き部２４ａによって露出する背板部２２を覆う矩形状の突片部３２とを備えている。また、蓋部３０には、取手４０が先端部３０ｂに設けられている。本実施の形態１では、取手４０はＵ字状の紐部材により形成されているが、穴を一つ開設して直線状の紐部材で取手を形成してもよい。
取手４０は、取手４０が取り付けられている蓋部３０の一部である矩形状領域３１ｃを上方へスライドして蓋本体３１から取れたり、矩形状領域３１ｃを蓋本体３１にスライドして差し込んだりして、蓋本体３１と着脱自在としている。
矩形状領域３１ｃのスライド部分に直線状溝または直線凸部が形成され、対向する蓋本体３１のスライド面に直線凸部または直線状溝が形成され、嵌合することで、矩形状領域３１ｃはスライドが可能である。
【００２７】
蓋本体３１の上部の幅方向Ｆ３における両端部には、側板部２３の凹部２３ａに係止する爪部３１ａが形成されている。爪部３１ａには、側板部２３の方に突出して、側板部２３の凹部２３ａに係止する突起３１ｂが形成されている
突片部３２の幅方向Ｆ３の両方の端面３２ｓには、蓋部３０の回転軸となり、蓋支持部２４の凹部２４ｃに嵌合する凸部３２ａが形成されている。
【００２８】
以上のように構成された本考案の実施の形態１に係る名刺ケース１０の使用状態を図面に基づいて説明する。
図１および図２に示すように、名刺ケース１０の蓋部３０を開くときには、使用者は、蓋部３０に取り付けられた取手４０を持って蓋部３０の先端部３０ｂをケース本体２０から持ち上げる。また、使用者は、直接、蓋部３０の先端部３０ｂをケース本体２０から持ち上げる。
そうすると、蓋本体３１の上部に形成された爪部３１ａの突起３１ｂが側板部２３の凹部２３ａから外れ、係止が解除される。そして、蓋部３０の基端部３０ａに位置する突片部３２の凸部３２ａ（図４（Ａ）参照）を中心に、蓋部３０を回転させることにより、蓋部３０の凸部３２ａが、蓋支持部２４の凹部２４ｃ（図３（Ａ）参照）の中で軸回転する。このようにして、蓋部３０がケース本体２０から開き、ケース本体２０の収納部２０ａが露出する。
【００２９】
使用者は、テーブルなどの平坦面を使って、図５に示すように、名刺束Ｃの下端面Ｃ１を揃え、かつ名刺束Ｃの側面Ｃ２も揃え、それぞれの名刺Ｃ０が重なり合った名刺束Ｃとする。そして、例えば、蓋部３０が開いた状態の名刺ケース１０を左手に持ち、右手で名刺束Ｃを持つ。名刺束Ｃを持つときには、親指と中指で、名刺束Ｃの幅方向の両端部（両方の側面Ｃ２）を挟み、人差し指を名刺束Ｃの上端面Ｃ３に添えて、蓋部３０が開いたことにより大きく開口したケース本体２０へ名刺束Ｃを挿入する。
このとき、名刺束Ｃの下端面Ｃ１が、一度、背板部２２へ突き当たることで、名刺束Ｃの挿入角度に応じて、名刺束Ｃのそれぞれの名刺Ｃ０がずれる。
そして、使用者が、名刺束Ｃを、底板部２１へ向かって（挿入方向Ｆ５に沿って）挿入を進めることで、名刺束Ｃは、その下端面Ｃ１を背板部２２に摺動させながら進行する。
【００３０】
名刺束Ｃが、底板部２１まで到達すると、名刺束Ｃの下端面Ｃ１が底板部２１の傾斜に沿ってずれた状態となり、名刺束Ｃの下端面Ｃ１は底板部２１に担持され、名刺束の両方の側面Ｃ２は側板部２３によって挟まれて、ケース本体２０の収納部２０ａに収納される。
【００３１】
次に、使用者は、蓋部３０を開いたときと反対の操作で、蓋部３０を閉じる。このとき、蓋部３０の爪部３１ａが、側板部２３の外側面に摺動しながら差し込まれ、爪部３１ａの突起３１ｂが凹部２３ａに嵌まり係止する。爪部３１ａが側板部２３に係止することで、蓋部３０がしっかりとケース本体２０に保持される。収納部２０ａに収納された名刺束Ｃは、図６に示すように、底板部２１の傾斜によって、厚み方向Ｆ１の高さ位置がずれるため、蓋部３０側から背板部２２側に向かうに従って上端の位置が高くなる。
【００３２】
名刺ケース１０は、この状態で革製やビニール製などの名刺入れ５０に収納される。名刺入れ５０に収納するときには、名刺ケース１０は、背板部２２を表側にし、蓋部３０を裏側にして収納される。
この名刺ケース１０から名刺を取るときには、名刺入れ５０の蓋５１を開く。このとき、名刺入れ５０の蓋５１に取手４０を引っ掛けるフックがあると、蓋５１を開くと共に、名刺ケース１０が引っ張られ、迫り上がるため、名刺Ｃ０が名刺ケース１０から取り出しやすい状態となる。
使用者は、名刺ケース１０の蓋部３０から露出した名刺束Ｃから名刺を１枚取り出す。名刺束Ｃの上部は、厚み方向Ｆ１に沿って段々に上端の位置が高くなっており、蓋部３０が名刺束Ｃの高さ位置がずれた上部を露出させているため、容易に一枚を掴むことができる。
【００３３】
このように、本実施の形態１に係る名刺ケース１０によれば、蓋部３０を開けることにより露出した背板部２２に名刺束Ｃの下端を突き当て、名刺束Ｃを背板部２２に沿って底板部２１へ向って挿入することができるため、名刺束Ｃを安定した状態で容易に挿入することができる。従って、名刺ケース１０は、１枚の名刺Ｃ０を名刺束Ｃから取り出しやくするだけでなく、名刺束Ｃをセットしやすい。
【００３４】
蓋支持部２４は、ケース本体２０の幅方向Ｆ３に沿った蓋支持部２４の下端部が底板部２１の下端に接続されていると共に、蓋支持部２４の幅方向Ｆ３における両端部２４ｓが側板部２３の上端に接続され、蓋部３０が蓋支持部２４に回転自在に接続されている。そのため、蓋部３０をケース本体２０から開いた状態で、名刺束Ｃを背板部２２に沿って底板部２１へ向って挿入しても、底板部２１と蓋支持部２４とによって名刺束Ｃを突き当て、厚み方向Ｆ１に沿って各名刺Ｃ０をずれた状態とすることができる。
また、蓋部３０に取手４０が取り付けられているため、蓋部３０の開閉が容易である。
【００３５】
なお、本実施の形態１では、名刺ケース１０は、名刺入れ５０に入れて使用するため、名刺ケース１０の上部が開口した状態であったが、蓋部の高さ位置を背板部と同じとすると共に、蓋部に、蓋部の上端から背板部の上端に向って突出して開口を塞ぐ庇部を設けるようにする。そうすることにより、蓋部により開口が塞がれるため、名刺ケースだけで使用することができる。
【００３６】
名刺ケース１０を名刺入れ５０に収納した状態で、名刺束Ｃを名刺ケース１０に入れて使用する場合には、名刺入れ５０の蓋５１を開け、蓋本体３１から矩形状領域３１ｃを引き抜けば、取手４０が取れる。そのため、蓋５１が広く開いて、名刺束Ｃを、蓋部３０が閉じた状態のケース本体２０へ入れやすくなる。
【００３７】
（実施の形態２）
本発明の実施の形態２に係る名刺ケースを図面に基づいて説明する。なお、図７においては、図３（Ｃ）と同じ構成のものは同符号を付して説明を省略する。
図７に示す名刺ケースのケース本体２０ｘは、底板部２１に仕切り板２１ａが立設されている。本実施の形態２では、仕切り板２１ａが１枚形成されているが、複数でもよい。
この仕切り板２１ａは、ケース本体２０ｘの幅方向Ｆ３（図１参照）に沿って形成されている。仕切り板２１ａの高さは、名刺束が仕切り板２１ａの前後に仕分けられれば、任意の高さとすることができる。本実施の形態２では、仕切り板２１ａを蓋支持部２４（図１参照）の高さ程度としている。
【００３８】
また、仕切り板２１ａの上端部２１ｂは、傾斜面を有している。仕切り板２１ａの上端部２１ｂが、傾斜面であると、上端部２１ｂにて名刺を滑らせるようにして振り分けることができるため、名刺が上端部２１ｂで留まってしまうことを防止することができる。本実施の形態２では、上端部２１ｂは、底板部２１に沿って、背板部２２から蓋部３０に向って下り傾斜となるように形成されているが、反対に蓋部３０から背板部２２に向って下り傾斜となるように形成されていてもよい。また、上端部２１ｂが三角形状に尖っていてもよい。
【００３９】
実施の形態１，２に係る名刺ケースは、ケース本体２０と蓋部３０とから構成されているため２０構成することで、特許文献１に記載の名刺取り出し用ケースより部品点数が少なくてすむため、製造工程が簡単で、コストが低減できる。
【産業上の利用可能性】
【００４０】
本考案の名刺ケースは、名刺を取り出しやすく、セットしやすいため、スーツのポケットに入れて使用することができる。
【符号の説明】
【００４１】
１０  名刺ケース
２０  ケース本体
２０ａ  収納部
２０ｂ  先端部
２１  底板部
２１ａ  仕切り板
２１ｂ  上端部
２３  側板部
２３ａ  凹部
２３ｂ  下端部
２３ｕ  上部
２２  背板部
２２ａ  側部
２４  蓋支持部
２４ａ  切り欠き部
２４ｂ  下端部
２４ｃ  凹部
２４ｓ  両端部
３０  蓋部
３０ａ  基端部
３０ｂ  先端部
３１  蓋本体
３１ａ  爪部
３１ｂ  突起
３１ｃ  矩形状領域
３２  突片部
３２ａ  凸部
３２ｓ  端面
４０  取手
５０  名刺入れ
５１  蓋
Ｃ  名刺束
Ｃ０  名刺
Ｃ１  下端面
Ｃ２  側面
Ｃ３  上端面
Ｆ１  厚み方向
Ｆ２  取り出し
Ｆ３  幅方向
Ｆ４  出入方向
Ｆ５  挿入方向
【図１】
0003204440.tif 000003
【図２】
0003204440.tif 000004
【図３】
0003204440.tif 000005
【図４】
0003204440.tif 000006
【図５】
0003204440.tif 000007
【図６】
0003204440.tif 000008
【図７】
0003204440.tif 000009